(57)【要約】本発明は、背景の前方にテーマを示す、紙幣、小切手等のセキュリティ文書を製作するためのセキュリティ要素（Ｓ）であって、レリーフ構造（７、１０、１２〜１４、１６、１７）を有し、レリーフ構造（７、１０、１２〜１４、１６、１７）は、セキュリティ要素（Ｓ）のテーマ領域（１、４）を覆ってテーマ領域（１、４）にテーマを提供するとともに、セキュリティ要素（Ｓ）の背景領域（２）を覆って背景領域（２）に背景を提供し、背景からテーマを区切り、レリーフ構造によっても形成された輪郭（３）があり、輪郭のレリーフ構造（１２、１４及び１７）は、一方では輪郭（３）とテーマ領域（１、４）との間に、他方では輪郭（３）と背景領域（２）との間に明るさ及び／又は色のコントラストがあるように、テーマ領域のレリーフ構造（１０、１３、１６ａ）と背景領域（２）のレリーフ構造（７、１６ｂ）とは異なっている、セキュリティ要素（Ｓ）に関する。
2020517486.tif 000002
【特許請求の範囲】
【請求項１】
背景上にモチーフを表示する、紙幣、小切手等のセキュリティ文書を製作するためのセキュリティ要素であって、レリーフ構造（７、１０、１２、１３、１４、１６、１７）を有し、前記レリーフ構造（７、１０、１２、１３、１４、１６、１７）は、当該セキュリティ要素（Ｓ）のモチーフ領域（１、４）を覆って前記モチーフ領域（１、４）に前記モチーフを提供するとともに、当該セキュリティ要素（Ｓ）の背景領域（２）を覆って前記背景領域（２）に前記背景を提供する、セキュリティ要素（Ｓ）において、
前記背景領域（２）から前記モチーフ領域（１、４）を区切るとともに、前記レリーフ構造によって形成された輪郭領域（３）が提供されており、
前記輪郭領域の前記レリーフ構造（１２、１４、１７）は、一方では前記輪郭領域（３）と前記モチーフ領域（１、４）との間に、他方では前記輪郭領域（３）と前記背景領域（２）との間に明るさ及び／又は色のコントラストが存在するように、前記モチーフ領域（１、４）の前記レリーフ構造（１２、１３、１６ａ）及び前記背景領域（２）の前記レリーフ構造（７、１６）とは異なっている、
ことを特徴とする、セキュリティ要素。
【請求項２】
前記輪郭領域（３）の前記レリーフ構造（１２、１４）はサブ波長回折格子を有することを特徴とする、請求項１に記載のセキュリティ要素。
【請求項３】
前記モチーフ領域（１、４）及び前記背景領域（２）はサブ波長回折格子を特に有しないことを特徴とする、請求項２に記載のセキュリティ要素。
【請求項４】
前記輪郭領域（３）の前記レリーフ構造はモスアイ構造（１４）を有することを特徴とする、請求項２又は３に記載のセキュリティ要素。
【請求項５】
前記モチーフ領域（１、４）及び前記背景領域（２）はモスアイ構造を特に有しないことを特徴とする、請求項４に記載のセキュリティ要素。
【請求項６】
前記輪郭領域（３）の前記レリーフ構造（１２、１４）はマイクロキャビティを有することを特徴とする、請求項１〜５に記載のいずれか一項に記載のセキュリティ要素。
【請求項７】
前記輪郭領域（３）の前記レリーフ構造はマイクロミラー構造を有することを特徴とする、請求項１〜６のいずれか一項に記載のセキュリティ要素。
【請求項８】
前記輪郭領域（３）の前記レリーフ構造はホログラム構造を有することを特徴とする、請求項１〜７のいずれか一項に記載のセキュリティ要素。
【請求項９】
前記輪郭領域（３）の前記レリーフ構造は再帰反射構造を有することを特徴とする、請求項１〜８のいずれか一項に記載のセキュリティ要素。
【請求項１０】
前記輪郭領域（３）の前記レリーフ構造は、金属、高屈折、又は色彩効果生成層複合材で被覆されていることを特徴とする、請求項１〜９のいずれか一項に記載のセキュリティ要素。
【請求項１１】
前記レリーフ構造は、前記輪郭領域（３）の構造化部を有する前記輪郭領域（３）を形成する、請求項１〜１０のいずれか一項に記載のセキュリティ要素。
【請求項１２】
前記輪郭領域（３）の前記構造化部は、前記輪郭領域（３）の中断部及び／又は、肉眼で検出できない若しくは解像できないマイクロテキスト若しくは情報アイテムを備えることを特徴とする、請求項１１に記載のセキュリティ要素。
【請求項１３】
請求項１〜１２のいずれか一項に記載のセキュリティ要素を有するセキュリティ文書。
【請求項１４】
背景上にモチーフを表示する、紙幣、小切手等のセキュリティ文書を製作するためのセキュリティ要素（Ｓ）の製造方法であって、
前記セキュリティ要素（Ｓ）のモチーフ領域（１、４）を覆って前記モチーフ領域（１、４）に前記モチーフを提供するとともに、前記セキュリティ要素（Ｓ）の背景領域（２）を覆って前記背景領域（２）に前記背景を提供する、レリーフ構造（７、１０、１２、１３、１４、１６、１７）が生成される、製造方法において、
前記背景領域（２）から前記モチーフ領域（１、４）を区切るとともに、前記レリーフ構造によっても形成された輪郭領域（３）が提供され、
前記輪郭領域（３）の前記レリーフ構造（１２、１４、１７）は、一方では前記輪郭領域（３）と前記モチーフ領域との間に、他方では前記輪郭領域（３）と前記背景領域（２）との間に明るさ及び／又は色のコントラストが存在するように、前記モチーフ領域（１、４）の前記レリーフ構造（１０、１３、１６ａ）及び前記背景領域（２）の前記レリーフ構造（７、１６ｂ）とは異なっている、
ことを特徴とする、製造方法。
【請求項１５】
前記セキュリティ要素は請求項１〜１２のいずれか一項に従い製造されることを特徴とする、請求項１４に記載の製造方法。
【発明の詳細な説明】
【技術分野】
【０００１】
本発明は、背景上にモチーフを表示する、紙幣、小切手等のセキュリティ文書を製作するためのセキュリティ要素に関し、セキュリティ要素はレリーフ構造を有し、レリーフ構造は、セキュリティ要素のモチーフ領域を覆ってモチーフ領域にモチーフを提供するとともに、セキュリティ要素の背景領域を覆って背景領域に背景を提供する。
【０００２】
本発明は更に、セキュリティ要素を有するセキュリティ文書に関する。
【０００３】
本発明は、最終的に、背景上にモチーフを表示する、紙幣、小切手等のセキュリティ文書を製作するためのセキュリティ要素の製造方法であって、セキュリティ要素のモチーフ領域を覆ってモチーフ領域にモチーフを提供するとともに、セキュリティ要素の背景領域を覆って背景領域に背景を提供する、レリーフ構造が生成される、製造方法に関する。
【背景技術】
【０００４】
紙幣のセキュリティ特徴は、特に良好なレベルの知覚性と偽造に対するセキュリティとを実現するように設計された記号、像、又はトゥルーカラー像などのモチーフを含む。そのようなモチーフは、例えば、以下の刊行物から周知である：非特許文献１、特許文献１、特許文献２、特許文献３、特許文献４、特許文献５、及び特許文献６。
【０００５】
しかしながら、そのようなセキュリティ要素を有するモチーフは、不十分な照明条件での知覚性の点において改良が必要である。
【先行技術文献】
【特許文献】
【０００６】
【特許文献１】国際公開第２０１２／１５６０４９  Ａ１号パンフレット
【特許文献２】欧州特許第１４３４６９５  Ｂ１号明細書
【特許文献３】欧州特許出願公開第２４５３２６９  Ａ１号明細書
【特許文献４】国際公開第２０１３／０９１８５８  Ａ９号パンフレット
【特許文献５】米国特許第９１８８７１６  Ｂ２号明細書
【特許文献６】独国特許出願公開第１０２０１４０１１４２５  Ａ１号明細書
【非特許文献】
【０００７】
【非特許文献１】Ｈ．Ｌｏｃｈｂｉｈｌｅｒ，“Ｃｏｌｏｒｅｄ  ｉｍａｇｅｓ  ｇｅｎｅｒａｔｅｄ  ｂｙ  ｍｅｔａｌｌｉｃ  ｓｕｂ−ｗａｖｅｌｅｎｇｔｈ  ｇｒａｔｉｎｇｓ”，Ｏｐｔ．  Ｅｘｐｒｅｓｓ，Ｖｏｌ．１７，ｐａｇｅｓ  １２１８９−１２１９６，２００９
【発明の概要】
【発明が解決しようとする課題】
【０００８】
したがって、本発明の目的は、セキュリティ要素、セキュリティ文書、及び導入部で言及した種類の製造プロセスを知覚性が高まるように改良することである。同時に、簡単な製造を可能とすべきである。
【課題を解決するための手段】
【０００９】
本発明は、請求項１、１０及び１１に定義される。
【００１０】
背景上にモチーフを表示する、紙幣、小切手等のセキュリティ文書を製作するためのセキュリティ要素はレリーフ構造を有し、レリーフ構造は、セキュリティ要素のモチーフ領域を覆ってモチーフ領域にモチーフを提供するとともに、セキュリティ要素の背景領域を覆って背景領域に背景を提供し、これに加えて、輪郭領域が提供され、輪郭領域は背景領域からモチーフ領域を区切るとともに、レリーフ構造によっても形成され、輪郭領域のレリーフ構造は、一方では輪郭領域とモチーフ領域との間に、他方では輪郭領域と背景領域との間に明るさ及び／又は色のコントラストが存在するように、モチーフ領域のレリーフ構造及び背景領域のレリーフ構造とは異なっている。
【００１１】
背景上にモチーフを表示する、紙幣、小切手等のセキュリティ文書を製作するためのセキュリティ要素の製造方法では、セキュリティ要素のモチーフ領域を覆ってモチーフ領域にモチーフを提供するとともに、セキュリティ要素の背景領域を覆って背景領域に背景を提供するレリーフ構造が生成され、背景領域からモチーフ領域を区切るとともに、レリーフ構造によっても形成された輪郭領域が提供され、輪郭領域のレリーフ構造は、一方では輪郭領域とモチーフ領域との間に、他方では輪郭領域と背景領域との間に明るさ及び／又は色のコントラストが存在するように、モチーフ領域のレリーフ構造及び背景領域のレリーフ構造とは異なっている。
【００１２】
本発明は、モチーフが高コントラストの輪郭によって背景から分界されればモチーフを認識することがより簡単になるという知見に基づく。特に良好なコントラストを実現するために且つ製造性を促進するために、輪郭は、レリーフ構造によっても画定され、一方では輪郭領域とモチーフ領域との間に、他方では輪郭領域と背景領域との間に明るさ及び／又は色のコントラストが存在するように、輪郭領域内のレリーフ構造は、モチーフ領域内のレリーフ構造及び背景領域内のレリーフ構造とは異なる。この方法により、高い色コントラストを有する輪郭の従来の印刷において生じるような位置合わせ要件が回避される。同時に、輪郭は、モチーフ及び背景に対する最大コントラストが実現されるように、すなわち、例えば、明るい輪郭も容易に可能となるように設計することができる。したがって、本発明は、観察者のモチーフの知覚性を大幅に高める。
【００１３】
輪郭領域とモチーフ領域と背景領域との間のコントラストは、例えば、レリーフ構造のプロファイルの幾何学的形状を適切に選択することにより実現することができる。レリーフ構造は、通常、例えば、金属若しくは高屈折コーティングで、又は国際公開第２００８／０８０４９９（Ａ１）号パンフレットから知られるものなど色彩効果を生じる層複合材で被覆されている。モチーフを作成するための異なるレリーフ構造が先行技術から知られている。すなわち、これらのレリーフ構造によって、モチーフ領域と背景領域との間にコントラストを実現することができる。例えば、マイクロミラーを有するレリーフ構造が先行技術から知られている（独国特許出願公開第１０２０１００４９６１７（Ａ１）号明細書を参照）。これらのマイクロミラーは画素に配列することができ、そのそれぞれは、同様に配向されたマイクロミラーを有する。また、フレネル構造（欧州特許第１５６２７５８（Ｂ１）号明細書を参照）を使用することができる又はマイクロミラーと組み合わせることもできる。マイクロミラーについては、１μｍ〜最大１００μｍのレリーフ高さ及び１０μｍ未満〜１００μｍより下の横寸法が知られている。モチーフを作成するための別の既知のレリーフ構造はレリーフホログラムの形態のホログラム回折格子である。これらは、５００ｎｍ〜２μｍの格子周期を有する金属被覆されたレリーフ構造からなり、観察者が一次回折次数のモチーフ又はトゥルーカラー像を知覚するように配列されている。米国特許第９１８８７１６（Ｂ１）号明細書は、再帰反射構造の形態のレリーフ構造を用いて着色モチーフを作成する。モチーフ又は背景を作成するために、一次元又は二次元サブ波長回折格子もまた、例えば、刊行物、Ｈ．Ｌｏｃｈｂｉｈｌｅｒ，“Ｃｏｌｏｒｅｄ  ｉｍａｇｅｓ  ｇｅｎｅｒａｔｅｄ  ｂｙ  ｍｅｔａｌｌｉｃ  ｓｕｂ−ｗａｖｅｌｅｎｇｔｈ  ｇｒａｔｉｎｇｓ”，Ｏｐｔ．  Ｅｘｐｒｅｓｓ，Ｖｏｌ．１７，ｐａｇｅｓ  １２１８９−１２１９６，２００９、又は国際公開第２０１２／１５６０４９号パンフレットから知られている。異なるプロファイルパラメータを有するレリーフ構造の画素ベースの配列によって、背景上にモチーフを製作するためにも使用することができる、ゼロ次回折次数のトゥルーカラー像を生成することができる。更に、特定のレリーフ構造、例えば、微細構造の連続的な表示によって、像のモーション効果を誘導することが可能である（独国特許出願公開第１０２０１００４７２５０（Ａ１）号明細書を参照）。本発明の文脈においては、これら全ての異なる種類のレリーフ構造を使用し、且つ組み合わせて、モチーフ及び背景（すなわち、モチーフ領域及び背景領域内の）を生成することができるとともに、輪郭を生成することができる。当然、各場合において、背景領域及びモチーフ領域及び輪郭に対して異なるレリーフ構造を使用することができる。重要な点は、裸眼で知覚可能な光学コントラストが輪郭領域とモチーフ領域との間に、及び輪郭領域と背景領域との間に存在することである。サブ波長構造の別の例は、いわゆるモスアイ構造である（国際公開第２００６／０２６９７５（Ａ２）号パンフレット及び欧州特許出願公開第２４５３２６９（Ａ１）号���細書を参照）。着色モチーフは、レリーフ構造を色付け又は染色することにより生成することができる。
【００１４】
１つの拡張形態では、輪郭領域は、適宜レリーフ構造を設計することにより構造化部を備えることができる。構造化部は、輪郭領域の中断部を意味し得る、及び／又は肉眼で検出されないマイクロテキスト若しくは情報を含み得る。
【００１５】
輪郭領域は、また、複合モチーフ内の外形線であってもよい。複合モチーフは複数のモチーフ構成要素からなり、モチーフ構成要素の１つは、輪郭領域が背景領域を区切るように、すなわち、複合モチーフのうちの１つのモチーフ領域を複合モチーフの別のモチーフ領域から区切るように、他に対して光学的に知覚されたときに、背景であると理解される。特定の実施形態では、輪郭領域は、構造化されないことも可能である。
【００１６】
本発明を、本発明に必須の特徴も示すことができる例に基づき、及び図を参照して、以下で更に詳細に記載する。
【図面の簡単な説明】
【００１７】
【図１】輪郭がモチーフを背景に対して区切っている、背景に対して複数のモチーフを有するセキュリティ要素の平面図である。
【図２】図１のセキュリティ要素のモチーフ領域、輪郭領域、及び背景領域に対応する３つの領域Ｉ、ＩＩ及びＩＩＩを有するセキュリティ要素Ｓの概略断面図である。
【図３】モチーフ領域、背景領域、及び輪郭領域に他のレリーフ構造が使用されている、図２の図に類似する図である。
【図４】同じく、モチーフ領域、背景領域、及び輪郭領域に他のレリーフ構造が使用されている、図２及び図３の図に類似する図である。
【発明を実施するための形態】
【００１８】
図１は、構造化された背景に対するモチーフとしてハチドリを年号ともに示すセキュリティ要素Ｓを示す。モチーフ領域１と背景領域２とは、反射して光学コントラストを形成する異なるレリーフ構造により形成されているため、モチーフを裸眼で知覚することができる。モチーフは、細い輪郭によって背景から区切られている。年号もまた、輪郭によって背景から上昇している。輪郭領域３の輪郭外形もレリーフ構造によって作成され、これらの輪郭外形は、モチーフ領域１、４及び背景領域２の両方と対照であるように設計されている。これにより、観察者にとってのモチーフの知覚性が大幅に高まる。モチーフ領域１、４及び背景領域２は、例えば、金属被覆され誘電体に埋設されたレリーフ構造によって形成されている。同じことが輪郭３に当てはまる。異なる領域間のコントラストは、レリーフ構造のプロファイルの幾何学的形状を適切に選択することによって作成される。
【００１９】
図２は、例えば、このようなレリーフ構造の概略断面図を示す。ここでは、範囲Ｉはモチーフ領域１又は４に対応し、領域ＩＩは背景領域２に対応し、領域ＩＩＩは、輪郭領域３に対応する。セキュリティ要素Ｓは基材フィルム５上に形成され、基材フィルム５上にエンボスラッカー層６が適用され、エンボスラッカー層６にレリーフ構造が導入され、その後、金属被覆される。上部ラッカー層８とカバリングフィルム９によってセキュリティ要素Ｓが完成し、セキュリティ要素Ｓは、例えば、紙幣の窓領域に広がり得る。
【００２０】
ホログラム回折格子７、１０の実施形態において、領域Ｉ及び領域ＩＩは両方とも、正弦波プロファイルで形成されている。ホログラム回折格子７とホログラム回折格子１０とは、それらの設計が、それらにより生成される像の観点において異なる。対照的な輪郭領域３は、領域ＩＩＩ内のサブ波長回折格子１２により実装される。サブ波長回折格子１２は、１次元又は２次元において周期的であり得る。サブ波長回折格子１２は、ホログラム回折格子７及びホログラム回折格子１０の両方に対してコントラストを作成することで、輪郭として、モチーフ領域１、４により形成されたモチーフを、背景領域２により形成された背景に対して強調する。
【００２１】
図３は、領域Ｉと領域ＩＩとの間にコントラストが存在し、領域ＩＩＩと領域Ｉ及び領域ＩＩとの間にコントラストが生じる限りは、領域Ｉ、ＩＩ及びＩＩＩ内のレリーフ構造を広い部分において自由に選択することができることを説明するための更なる実施形態を示す。図３の実施形態では、背景領域２は異なるように形成されている。一方では、すなわち、いくつかの部分においては、背景領域２はホログラム回折格子７によって形成されており、他方では、すなわち、他の部分においては、平滑面１５によって形成されている。モチーフ領域はマイクロミラー配列１３によって実装されている。領域ＩＩＩ内の輪郭領域には、光吸収モスアイ構造１４で満たされている。
【００２２】
図４は、輪郭領域が明るい境界部を実装している実施形態を示す。ここでは、領域Ｉ及び領域ＩＩは、例えば、独国特許出願公開第１０２０１４０１１４２５（Ａ１）号明細書から知られるものなどの透過型ホログラム回折格子を有して設計されている。これらの領域Ｉ及び領域ＩＩは、ゼロ次回折次数０．Ｏ．及び一次回折次数１．Ｏ．に加えて、更なる透過効果を有する。すなわち、入射放射Ｅは、図２及び図３の実施形態の場合のように反射放射Ｒとして反射されるだけでなく透過放射Ｔとしても一部透過される。これは、透過光モチーフも可能であることを意味する。領域ＩＩＩにおいて、これは、金属被覆後に不透明になる従来のホログラム回折格子と組み合わされる。したがって、平面視において、明るい輪郭を生じさせる、背景領域２に対するモチーフ領域１、４の区切りが得られる。図４の構造は透過型のモチーフも示す。この観察方向において、外形線、すなわち、領域ＩＩＩは暗く見え、このモチーフの知覚性を高める。透過におけるこれらのコントラスト変化は、かなり一般的には不透明輪郭によって実装され得る。この目的に適したレリーフ構造は金属被覆され、アスペクト比、すなわち、周期に対する深さの比率が０．４未満のプロファイルを有する。具体的な例は、滑らかな金属被覆表面、マイクロミラーアレイ、マット構造、又は従来のホログラフィック構造等である。透過型構造は、特に、導入部で言及したＬｏｃｈｂｉｈｌｅｒ，Ｏｐｔ．Ｅｘｐｒｅｓｓの刊行物から、又は国際公開第２０１２／１５６０４９号パンフレットから知られるものであり得る。そのような透過型構造は、透過される光の成分により反射が低減されるため、反射において、低アスペクト比を有する不透明金属構造に比べて一般により暗く見える。したがって、これらの平坦構造は、明るい輪郭として、反射においてモチーフの知覚を大幅に向上させる。
【００２３】
図２〜図４の実施形態は、当然単なる一例として、領域Ｉ〜ＩＩＩ内の異なるレリーフ構造の横方向の配列を示す。観察者に対し各領域間の明るさ及び／又は色のコントラストを提供するマイクロミラー配列、フレネル状構造、μレンズ、ホログラフィック回折格子、再帰反射構造、一次元若しくは二次元サブ波長回折格子、又はモスアイ構造、及びマイクロキャビティの他の組み合わせが等しく可能である。
【００２４】
輪郭領域内に暗構造を提供することも可能である。そのような構造は、異なる観察方向、好ましくは全ての観察方向から暗く見える。この目的のために、図３で使用したモスアイ構造１４が特に好適である。そのようなモスアイ構造１４を生成するための異なる方法が文献から知られている。一例として、上述の国際公開第２００６／０２６９７５（Ａ２）号パンフレット又は欧州特許第１４３４６９５（Ｂ１）号明細書を参照されたい。これらの公報は、屈折率勾配層を形成するとともに、良好な吸収を有する蒸発金属ランダム面について記載している。これらの蒸発金属ランダム面の構造深さは、好ましくは、５０ｎｍを超え、隣接する上昇部間の平均間隔は５００ｎｍ未満であるため、名称サブ波長構造。そのようなランダム面は、ＰＭＭＡなどのプラスチック基材からプラズマエッチングプロセスにより生成することができる。代替的に、周期的に配列されたモスアイ構造も使用することができる。多層、例えばいわゆるカラーシフトコーティングで覆われたモスアイ構造が、高コントラストの暗色を生じさせることも知られている（欧州特許出願公開第２４５３２６９（Ａ１）号明細書を参照）。また、５００ｎｍを超える平均間隔を有する構造は金属被覆後に高い吸収効果を示すことができる。そのようないわゆるマイクロキャビティは、好ましくは、開口サイズに対する深さの比率が０．５を超え、例えば、六辺形に又は直交し互いに隣り合って配列された半球状凹部を有する。欧州特許第１４３４６９５（Ｂ１）号明細書は、４２０ｎｍ未満の周期を有する金属被覆された交差格子により形成されたモスアイ構造について開示している。また、光吸収については、例えば、国際公開第２０１２／１５６０４９（Ａ１）号パンフレットに記載されているように、２次元周期のサブ波長回折格子を使用することができる。この回折格子は色フィルタリングにも好適である。回折格子の幾何学的形状パラメータは、最大光吸収が起こり、且つ平均反射が２０％未満、好ましくは１０％未満であるように選択され得る。
【００２５】
背景領域とモチーフ領域と輪郭領域との間の分界は、色フィルタとして機能するそのような構造により実現することができる。これらは必ずしも黒である必要はなく、赤又は青などの他の色にも見えることができる。しかしながら、モチーフの知覚性のためには暗色が有利である。これらの前記金属サブ波長構造は、一部、光の共振吸収により、可視スペクトル範囲内で光吸収の増加を示し、反射の色度をもたらす。可視波長域内の平均吸収がマイクロミラーなどのミラー平滑面のものよりも常に高いため、輪郭領域とモチーフ領域及び／又は背景領域との間の高コントラストが保証される。あるいは、これらの構造は、また、いくつかの方向からは暗く見えなくすることができる。例えば、輪郭領域もまた、全てが同じ配向を有することで同時に１つの角度にのみ明るく照明されるマイクロミラーで満たすことができる。これには、領域ＩＩＩは、したがって特定の角度から見たときに（不必要に）明るくなるため、この角度において、特定の条件下で輪郭領域はモチーフと背景との間の分界を生じないという欠点があるものの、しかしながらこの欠点と引き換えに、マイクロミラー以外の他の構造を作製する必要がない、特に、ナノ構造がないため、構造の実装が技術的に非常に簡単である。したがって、背景領域、輪郭領域、及びモチーフ領域のレリーフ構造を、異なる領域間のマイクロミラーの配向のみが変化するマイクロミラーのみによって実装することが可能である。有利なことには、これらの領域内の望ましくない照明の角度は、ほとんど分からないように選択され、例えば、この領域内において、全てのミラーは、照明効果が非常に斜めの視野角でのみ起こるように最大に下方に配向され得る。その代わりに、例えば、マイクロミラーの整列が極めて東に方向付けられた状態で、東西方向の傾斜を選択することができる。
【００２６】
明るい輪郭を形成するためには低アスペクト比を有するレリーフ構造が好適である。金属被覆後、そのような構造は透過においてほとんど不透明であり、反射において観察者には明るく見える。この目的のために特に好適なのはマイクロミラー、ホログラフィック回折格子、再帰反射構造、及び平面である。
【００２７】
カラーシフトコーティングが使用される場合、レリーフ構造は輪郭領域内のカラーシフト色を変化させ、分界をもたらすことができる。
【００２８】
良好な知覚性のために、輪郭領域の平均明るさは、反射において、及び任意選択的に透過においても、モチーフ領域の平均明るさ及び背景領域の平均明るさの５０％未満である。あるいは、輪郭領域の平均明るさは、反射において、及び任意選択的に透過においても、モチーフ領域の平均明るさ及び背景領域の平均明るさよりも２０％超高い。
【００２９】
モチーフ領域及び背景領域においては、マイクロミラー、ホログラフィック回折格子及び／又は鋸歯回折格子が好ましくは使用され、輪郭領域においては、サブ波長構造（特に、色フィルタリング又はモスアイ）、ホログラフィック回折格子及び／又はマット構造が好ましくは使用される。
【００３０】
レリーフ構造は、例えば二光子吸収過程で機能するｅビームシステム又はレーザ描画システムなどのリソグラフィ法を使用して製造されることが好ましい。あるいは、レリーフ構造は、二段階リソグラフィプロセスで生成することができる。第１の段階においてナノ構造化が実施される。これは、例えば、電子ビームリソグラフィプロセスにより実行される。代替として、レーザビーム干渉法も使用することができる。非周期的モスアイ構造も、ブラズマエッチングによって又は超短レーザパルスでの構造化によって生成することができる。次の工程で、そのような構造の原型又は複製はフォトレジストにより平坦化される。この目的に適した方法は主に、スピンコーティング又はディップコーティングである。その後、フォトリソグラフィ工程においてフォトレジストにレリーフ構造が刻まれ、構造の所望の領域が露光される。このプロセスは、直接露光手順においてレーザライタを用いて実行され得る。その後、得られた原型を、電解的に又は感光性ポリマー（例えば、Ｏｒｍｏｃｅｒｅ）を使用して複製転写することができる。このようにして製作されたスタンプの表面構造は、その後、ステップアンドリピート方式によってより広い面積上に隣り合わせで複製することができる。表面上に複製されたこの原型の電解刻印によって、それからエンボスシリンダを作製することができる。最後に、構造は、連続的なロールツーロールプロセスでフィルム上にエンボス加工され得る。ここでは、ＵＶ硬化性材料でのホットスタンピング又はエンボス加工などのナノインプリント法が好適である。最後に、エンボス加工されたフィルムに金属を気化させる。一般的な蒸発技術は、電子ビーム蒸着、熱蒸発、又はスパッタリングである。金属材料としては、アルミニウム、銀、銅、パラジウム、金、クロム、ニッケル、鉄、コバルト及び／又はタングステン並びにこれらの合金などの金属が使用され得る。蒸着後、構造は、任意選択的に、カバーフィルム９で積層加工され、これにより保護される。単純な金属コーティングの代わりに、レリーフ構造を多層構造で覆うこともできる。この目的のために、特に、半透明金属層と、誘電体間隔層と、その下に位置する金属鏡層とからなる、いわゆるカラーシフトコーティングが使用される。特に好適な誘電体は、ＳｉＯ２、ＭｇＦ２、Ｔａ２Ｏ５、ＺｎＳ、及びポリマーである。更なる代替物は、高屈折率材料を有する誘電体コーティングである。フィルム要素上に金属被覆除去した領域を付加的に必要とする場合、蒸着前に所望の領域にウォッシュカラー（ｗａｓｈ  ｃｏｌｏｒ）が印刷され、その後、蒸着後に除去される。あるいは、これらの領域はレーザ金属被覆除去又はウェット化学エッチング法でも製造することができる。
【００３１】
更なる実施形態では、（例えば、コードの形態の）モチーフはモーション効果を備える。モチーフ領域１、４は一連のマイクロミラーにより生成されており、パターンが傾けられると明るいビームが上下に移動する独国特許出願公開第１０２０１００４７２５０（Ａ１）号明細書から知られるものなどの「ローリングバー（ｒｏｌｌｉｎｇ  ｂａｒ）」効果を有する。複数のビームの移動は同じ方向又は反対方向であり得る。そのようなモチーフは、輪郭により見ることが極めて容易になる。なぜなら、観察者は、輪郭がなければ、反射される明るい光の「散乱」のみをおそらくは見るからである。輪郭領域は、観察者が実際の形態をはっきりと見えるようにする。これは、例えば、色フィルタリングサブ波長構造によって、又は暗い外形が望ましければモスアイ構造によって実装され得る。特に有利な変形形態では、マイクロミラーは、色変化コーティング（例えば、シーケンス吸収体と、誘電体と、反射体とを有する３層構造）を備えることができる。特に有利には、輪郭領域内のレリーフ構造はこのコーティングの色の印象を、例えば、適切なサブ波長構造の使用により変化させる。したがって、明るい又は暗い輪郭線を生成することができるだけでなく、特に、モーション効果内の色以外の色を有する輪郭も生成することができる。
【００３２】
特に、輪郭領域内にサブ波長構造を使用して生じさせることができる更なる効果は、より高い透過である。強力な透過を有する金属サブ波長回折格子は、平面、ホログラフィック回折格子、又はマイクロミラー構造と明確なコントラストを示す。特に、輪郭領域内にモスアイ構造が使用される場合、輪郭領域は上から見ると暗く見え、横方向から見ると明るく見える（例えば、紙幣の窓に使用される場合）。色変化コーティング（特に、例えば、また、２つの薄い吸収体層、したがって、構造吸収体と、誘電体と、吸収体とを有する）の場合、及び／又は輪郭領域内に色フィルタリングサブ波長構造を使用するとき、平面視と横方向視との間のモーション効果により、輪郭領域の色はモチーフ領域の色と異なってもよい。輪郭領域自体もまた、上方から及び背後から照らされると異なる色を示すことができる。
【符号の説明】
【００３３】
１、４  モチーフ領域
２  背景領域
３  輪郭領域
５  基材フィルム
６  エンボスラッカー層
７  ホログラフィック構造
８  カバリング層
９  カバリングフィルム
１０  ホログラフィック構造
１２  サブ波長回折格子
１３  マイクロミラー構造
１４  モスアイ構造
１５  平滑領域
１６  透過型ホログラフィック回折格子
１７  不透過型ホログラフィック回折格子
Ｓ  セキュリティ要素
Ｅ  入射放射
Ｒ  反射放射
Ｔ  透過放射
０．Ｏ．  ゼロ次
１．Ｏ．  一次
Ｉ−ＩＩＩ  領域
【図１】
2020517486.tif 000003
【図２】
2020517486.tif 000004
【図３】
2020517486.tif 000005
【図４】
2020517486.tif 000006
【国際調査報告】
2020517486.tif 000007
2020517486.tif 000008
2020517486.tif 000009
2020517486.tif 000010
2020517486.tif 000011
2020517486.tif 000012